(57)【要約】【課題】  新聞、雑誌、その他の物品を紐で縛る際に、結束作業の途中で被結束物を持ち上げたり逆さにしなくても紐掛け作業ができるコンパクトなプレート状の補助具を提供する。【解決手段】  プレート状の下敷きに予め紐を置くことができる十字溝を設け、溝の上縁に弾性に富んだ平らな突起を適宜な箇所に設けることにより、溝の中に置いた紐が、被結束物を下敷きの上に置く以前にはみ出すことがないようにし、かつ結束が完了した後は被結束物を上方に持ち上げれば容易に紐が溝内から外れるようにした。  又、下敷きに伸縮できる腕を設け、必要な長さに伸ばした腕で紐の輪の部分を保持できるようにしたので、下敷きより大きな被結束物もある程度の範囲で使用可能になった。【選択図】図１
0003118340.tif 000002
【実用新案登録請求の範囲】
【請求項１】
新聞、雑誌、その他の物品を紐で縛る際に使用するプレート状の下敷きであって、プレートの表面に、内部に紐を置くことができる深さと幅を有した溝を十字状に設け、前記溝の上縁部の複数箇所に前記溝の内部に紐を保持するための突起を設け、かつ前記突起が弾性に富んだ材料で作られていることを特徴とする紐掛け補助具。
【請求項２】
新聞、雑誌、その他の物品を紐で縛る際に使用するプレート状の下敷きであって、プレートの表面に、内部に紐を置くことができる深さと幅を有した溝を十字状に設け、前記溝の上縁部の複数箇所に前記溝の内部に紐を保持するための突起を設け、かつ前記突起が弾性に富んだ材料で作られており、かつ前記突起の取り付け箇所１つに対し２つの突起が溝を挟んで両側から突き出して設けられ、前記２つの突起のうち少なくとも一方がこれら２つの突起の間に形成される隙間が０ｍｍ乃至約５ｍｍの範囲で調節可能な手段で取り付けられていることを特徴とする紐掛け補助具。
【請求項３】
新聞、雑誌、その他の物品を紐で縛る際に使用するプレート状の下敷きであって、前記プレート状の下敷きが含まれる面の少なくとも一方向に、突き出し又は取り付けが可能な腕状の部品を設けていることを特徴とする請求項１又は請求項２に記載した紐掛け補助具。
【考案の詳細な説明】
【技術分野】
【０００１】  本考案は新聞、雑誌、その他の物品を紐で縛る際に使用する補助具に関する。
【背景技術】
【０００２】  側面に開放縦溝があり、底部に十字溝と、その下に開放スペースを設けることにより紐掛け作業を容易にした新聞整理箱が特許文献１で考案されている。
板状の本体に被結束物を支持するための複数の立体部材を設けると同時に、あらかじめ紐を交差して配置させるための中心棒を設けた用具が特許文献２で発明されている。
【特許文献１】  実開平７−２８８０５
【特許文献２】  特開２００３−６３５１２
【考案の開示】
【考案が解決しようとする課題】
【０００３】  箱状の新聞収納箱は、箱に入らない大きさの物品を紐で縛る際には利用できないし、特許文献２のように紐を棒の周りに巻き付ける方法では、手を離すと紐が棒から外れてしまう場合があるという不都合がある。
【課題を解決するための手段】
【０００４】  プレート状の下敷きに予め紐を置くことができる十字溝を設け、溝の上縁に弾性に富んだ平らな突起を適宜な箇所に設けることにより、溝の中に置いた紐が、被結束物を下敷きの上に置く以前にはみ出すことがないようにし、かつ結束が完了した後は被結束物を上方に持ち上げれば容易に紐が溝内から外れるようにした。
又、下敷きに伸縮できる腕を設け、必要な長さに伸ばした腕で紐の輪の部分を保持できるようにしたので、下敷きより大きな被結束物もある程度の範囲で使用可能になった。
【考案の効果】
【０００５】  十字溝内に予め紐を置いた後に被結束物を下敷きの上に置き、前記被結束物の周りから前記紐の輪の部分を被結束物の上にかぶせて縛ることにより容易に結束が完成する。
尚、紐を溝内に保持するための突起は弾性に富んだ材料で構成されているので、結束後に被結束物を上方に待ちあげることにより紐は溝内から容易に外れる。
又、下敷きの対角方向に突き出し可能な腕があり、突き出した状態の腕に紐の輪の一部を保持させることにより、プレートよりある程度大きな物品を置いても、物品の陰にならずに紐の輪の部分をつかむことができる。
【考案を実施するための最良の形態】
【０００６】  図１乃至図１１を用いて、本考案の実施の形態について説明する。
図１は本考案による紐掛け補助具の斜視図である。
略長方形のプレート状の本体１の片面のほぼ中央に、溝２ａと溝２ｂが十字状に交差して設けられている。溝の深さと幅は結束用の紐２本が余裕を持って置ける大きさであり、深さ８ｍｍ、幅１０ｍｍ程度である。
溝２ａ、溝２ｂのそれぞれについて２カ所以上の適宜な位置に、溝の上縁部に弾性に富んだ平らな突起３を２つ一組で設け、前記一組の突起が向かい合う先端部の隙間４が２ｍｍ程度になっている。以上が請求項１による構成である。【０００７】  各溝２ａ、２ｂと長方形の辺との交点にできる角には丸み７が設けられており、紐の長さを調節するために紐を引いたときにスムーズに紐が滑るようになっている。【０００８】  請求項３により、プレートの対角方向に突き出し可能な腕状の部品５があり、部品５の先端には溝６が設けられており、紐の輪の部分８ｂを保持できるようになっている。【０００９】  以上のような構成の紐掛け補助具を使用して、新聞や雑誌その他の物品に紐を掛け、結束する方法について説明する。
図２は最も単純な紐の置き方を示している。
まず腕５の先端部が被結束物９を補助具１の上に載せた時に被結束物の下にならない位置まで腕５を伸ばしておく。
次に紐８を溝２ａの上に置き、突起３の付近で上から紐を押して紐を突起の下に押し込み、紐の輪の部分８ｂを腕５の先端の溝６に挟んだ後、紐を溝２ｂの上に置き、前記と同様に紐を突起の下に押し込むことにより図２の状態になる。【００１０】  次に被結束物９を補助具１の上に載せ、紐の輪の部分８ｂを溝６から外して、被結束物の上にかぶせ、紐の先端部８ａを紐の輪の部分８ｂに通した後、紐の先端部８ａあるいは紐の中間部８ｄを引くことにより紐の長さを調節した後に紐を結び、最後に紐を切ることにより余分に紐を使用することなく結束が完了する。【００１１】  図３は紐の交差部８ｃでねじった場合、図４は２重巻きにした場合の紐の置き方である。図２、図３、図４の紐の置き方に対応し、結束が完成した状態の斜視図をそれぞれ図５、図６、図７に示す。
これらの例に限らず、他の結束方法も工夫により実現できる可能性がある。【００１２】  紐掛け補助具の本体１の材料は、弾性に富んだプラスチックやゴムのほか、硬質のプラスチックや木などが考えられる。弾性に富んだ材料で本体を構成する場合は、突起部を含めて一体で成形することができるが、硬質の材料で本体を構成する場合は、突起部のみ弾性に富んだ材料で製作して本体に取り付ける必要がある。図８、図９はこの一例である。部品１０の材料は弾性に富んだプラスチックなどであり、突起部３が形成されている。
本体へは圧入や接着などの手段により固定する。
尚、硬質の本体を使用した場合には、家庭のフローリング等に傷を付けないように本体の裏面にフェルトやゴムを取り付けることが望ましい。【００１３】  家庭で新聞や雑誌を結束する場合には紐の種類がある程度限られているので、突起と突起の隙間４は約２ｍｍが適当であるが、より幅広い用途で使用するには紐の太さに応じて突起の隙間４が調節できるのが望ましい。
請求項２の考案はこの点を考慮してなされたものであり、図１０及び図１１はその実施例である。
突起を構成する部品３ａは、ねじ１１で補助具本体１に取り付けられており、取り付け用の穴１２が長穴になっていることにより、隙間４を０ｍｍ乃至約５ｍｍの範囲に調節して固定することができる。図１０、図１１では、片方の突起３が固定されているが両方を調節式にしても良い。
【図面の簡単な説明】
【００１４】
【図１】本考案による紐掛け補助具の斜視図である。
【図２】紐掛け補助具に紐を置く方法の第１の例である。
【図３】紐掛け補助具に紐を置く方法の第２の例である。
【図４】紐掛け補助具に紐を置く方法の第３の例である。
【図５】図２の紐の置き方で物品を結束した場合の完成図である。
【図６】図３の紐の置き方で物品を結束した場合の完成図である。
【図７】図４の紐の置き方で物品を結束した場合の完成図である。
【図８】突起部を本体と別部品で構成した場合の部分的平面図である。
【図９】図８のＡ−Ａ断面図である。
【図１０】突起部の先端隙間を調節可能にした場合の部分的平面図である。
【図１１】図１０のＢ−Ｂ断面図である。
【符号の説明】
【００１５】１    紐掛け補助具本体
２ａ  溝
２ｂ  溝２ａと直交する溝
３    突起
３ａ  隙間を調節可能な突起
４    突起と突起の隙間
５    腕状の部品
６    腕状の部品の先端部に設けた溝
７    角の丸み
８    紐
８ａ  紐の先端部
８ｂ  紐の輪の部分
８ｃ  紐の交差部
８ｄ  紐の中間部
９    被結束物
１０  突起部を持つ部品
１１  ねじ
１２  取り付け用の長穴
【図１】
0003118340.tif 000003
【図２】
0003118340.tif 000004
【図３】
0003118340.tif 000005
【図４】
0003118340.tif 000006
【図５】
0003118340.tif 000007
【図６】
0003118340.tif 000008
【図７】
0003118340.tif 000009
【図８】
0003118340.tif 000010
【図９】
0003118340.tif 000011
【図１０】
0003118340.tif 000012
【図１１】
0003118340.tif 000013